(57)【要約】      （修正有）【課題】視認性に優れた職場等の行き先・注意喚起等表示が可能な表示体を提供する。【解決手段】蛍光色等針金により文字、絵柄を形成し、パソコン画面やパーテイション等の上部の裏表に、挟んで取り付ける。パソコン画面の色と対照色の針金による表示が、視認性を高める。【選択図】図１
2014211605.tif 000002
【特許請求の範囲】
【請求項１】
パソコン画面やパーテイション、地上デジタルテレビ画面等の前後左右等、フック等で適宜挟み込んで固定する表示する表示
【請求項２】
さらに、絵柄、絵文字、日本語、英語左右非対称で前後から同じに見えない表示は、前用、後用と左右逆な表示を併記する表示で、少なくとも前後２方向からの識別が可能な請求項１の表示。
【請求項３】
さらに、針金でできた請求項１の表示
【請求項４】
さらに、適宜フック部等をゴム管等で滑り止めした請求項１の表示
【請求項５】
さらに、表示は横長だけでなく、縦長等他形状をも含む請求項１の表示
【請求項６】
さらに、色で識別する請求項１の表示
【請求項７】
さらに、職場や家庭等での良くある定番的な注意喚起や意識高揚のスローガン等、忘却防止事項等を表示する請求項１の表示。
【請求項８】
さらに、図柄等を添えて又は単独で、文字のみ又は文字と併記し表示する請求項１表示。
【請求項９】
さらに、添える図柄等は、平面のみならず可能なら立体でも表現し得る請求項１の表示
【請求項１０】
さらに、フックは、掛け方は単に上下に鍵型に掛けるのみならず、パソコン等引っ掛ける物体と表示の縦横の寸法に応じ、適宜斜め襷掛け状等、またフックの形状は鍵型だけでなく、波型等、また水道の蛇口に１点吊り等、針金で加工可能なフックで引っ掛ける請求項１の表示。
【請求項１１】
さらに、図では、文字が意味するのを明らかにする為、大きめに表現したが、ノート型パソコンの画面の縁程度前後の大小の寸法をも含む請求項１の表示。
【発明の詳細な説明】
【技術分野】
【０００１】本発明は、蛍光色等針金による文字、絵柄等でパソコン画面やパーテイション等の上部に裏表、乗せ挟んで表示する、職場等の行き先・よくある注意喚起等表示に関するものである。
【技術背景】
【０００２】  先に、私は文字、絵柄等によるパソコン画面にフックで掛ける針金による行き先等表示・よくある注意喚起等表示を出願した。また、針金が蛍光色であれば照度の低い使用環境でも使用可能性が広がるため、後から出願した。その後、蛍光色等針金による文字、絵柄等でパソコン画面やパーテイション等の上部に乗せ又は左右にフック等で引っ掛け等して表示する、職場等の行き先・よくある注意喚起等表示を出願した。
【０００３】  これは、技術背景として、パソコンの操作する机にて、離籍する際、パソコンの画面が点いているかどうかが、本人が在室しているかどうかの判断の為の対象となることがある。出退勤表示や会議等スケジュール管理のソフトウェアも市販されている。当然、これらはパソコンの電源が入っているときのみパソコンで閲覧・書き込み・修正等使用可能であるが、電源が入っていなければ使用できない。
【０００４】  そこで、パソコン画面に針金でフックにて引っ掛けて着脱容易にし、貼る剥がす手間をなくし、所在を表示する表示があれば、職場でも在宅でも有効ではないかと考えた。針金は軽く錆びにくいだけでなく、パソコン画面が電源ＯＮのときは明るく針金の色を白以外で作成すればよく、パソコン画面がＯＦＦのときは画面は黒色であり、針金を白色ビニール被覆付針金で作成すれば識別性を高められる。離席する用事で、典型的な用件「会議中」「帰宅」「昼食」「出張」の表示が、その人が在席するか離席しているか、不在かよく視線が行くパソコン画面に表示があれば、その識別がより容易に行われるのではないかと考えた。そしてその表示は、針金による絵文字によるもので、日本語の漢字、複雑で表現が難しい場合は平仮名や片仮名での代筆で通用するもの、乃至英語標記であった。
【０００５】  これに、現代日本の職場や家庭環境を鑑みるに、日本語や英語を解さない非英語圏からの外国人が珍しくなくなった事情を踏まえれば、簡単な図柄を添えれば尚理解されやすいだろうということに気が付いた。理解できない簿時の羅列と認識されるより、万国共通で通じることのあるジェスチャーや絵柄、これを針金で表現可能であれば、視認性、注意喚起度が高まるのみならず、また離席をするのにいちいちトイレ等言付けしたりパソコンの予定表に入れることが憚れる予想の付かない行動で、それでいて黙ってトイレ等に離席するのも逆に気兼ねする悩ましい行動も、本発明をさりげなくパソコンに引っ掛けて離席することで、気軽にすることが出来る職場や在宅のリラックス環境を提供することが可能となる。
【０００６】  さらに、パソコン画面で表示すべきは、そのパソコン使用者の在不在だけでなく、「システムダウン」「サーバーメインテナンス中」「ＬＡＮメインテナンス中」「ウイルスチェック中」のパソコン使用環境等のみならず、「禁煙」「飲食禁止」「携帯禁止」等職場関連、「節電」「節水」など原発停止による夏場の節電キャンペーンについてパソコン等職場の良く見える掲示場所としての注意喚起表示もあり得ると考えられ、また「禁煙」「飲食禁止」等職場規律関連、「頑張れ福島」等東日本震災復興関連と言った職場等でよくある定番化した注意喚起も、絵柄、絵文字又は両記併用で有用ではないかと考えた。
【０００７】  そして、パソコン画面に針金でフックやスタンドの形状にて上に乗せる・立たせるようにし、着脱容易にし、貼る剥がす手間をなくし、所在を表示する表示があれば、職場でも在宅でも有効ではないかと考え出願した。針金は軽く錆びにくいだけでなく、パソコン画面がＯＮであっても表示は可能である。パソコンの画面等にフックでこれらの表示をする場合、職場の居室が見開きの開放型の大居室なら、目立つので効果があるが、パーテイション等で仕切りのある各パソコンと操作する人とが仕切られた個室型の職場である場合、パソコンの画面等でフックで掛ける形状の表示に比べ、にフックやスタンドタイプ等でパソコンの画面やパーテイション・仕切り壁の上等に軽く乗せ固定する形状の表示の方が、よりよく見え、効果を発揮するのではないかと考えたからである。また、これなら、パソコンの裏側からも見え、表示の効果は前後から識別可能ということで、単にパソコンの画面のフックで引っ掛けることの表示が前からしか視認できないのに比べ、２倍である。だから、職場の居室が見開きの開放型の大居室で使用することも尚出来、且つ前後２倍、または左右８方向から視認できれば尚それ以上の表示効果があると考えた。見開きの開放型の大居室の職場席配置は、縦横複数列の座席配置であることが多く、パソコン画面の向かい側の人がこちら側のパソコン画面を見に回り込む又は起立して前屈みに覗き込む手間が省ける。フックやスタンドタイプでパソコンの画面やパーテイション・仕切り壁の上等に軽く乗せ固定する形状なら、単に職場のデスクの上に置いても、職場などでの行き先・注意喚起表示の機能を持たせることも併せて可能で、パソコン等の画面の上縁にフック・スタンド等の形状で乗せた、前後から識別可能な表示として、また職場のデスク等の上に置く表示として、一石二鳥の表示効果が得られるのではないかと考えた。職場のデスク等の上に置く表示としては、フック部を、ハの字様のフック部、パソコン画面に乗せるフック・スタンドの形状を、平面に倒立するように開脚する。絵柄、絵文字、日本語、英語左右対称の前後から同じに見える表示は、文字の関係から制約がある場合、前用、後用と併記する表示とした。前用・後ろ用２個１式のセットを乗せても、必要に応じ、前用・後ろ用のみ乗せて使用でも可とした。
パソコン画面を妨げないから、パソコンがＯＮであっても表示は可能である。針金が蛍光色で、照度の低い環境でも視認性を持たせることが出来れば、尚良いと考えた。また、職場環境によっては、パソコン等の上のみならず、左右の横にフック等で引っ掛けて表示するのもあり得ると考えられるが、パソコンの位置関係等の制約からパソコン画面横のみフックにて掛けることも可能とした。
【０００８】  今回、パソコン画面やパーテイション等に、裏表挟み込んで前後表示する、サンドイッチのように前後挟めば、単純に最も安定した表示が出来上がることに気が付いた。パソコン使用環境が大部屋における集団利用のみならず、個人が自宅で使用する環境まで、幅広く有効であろう。表示の内容は、不在表示・注意喚起表示等幅広く有効である。パソコンの色によって、対照色の針金が、視認性を高め有効であろう。単にパソコンの画面のフックで引っ掛けることの表示が前からしか視認できないのに比べ、２倍である。だから、職場の居室が見開きの開放型の大居室で使用することも尚出来、且つ前後２倍、または左右８方向から視認できれば尚それ以上の表示効果があると考えた。見開きの開放型の大居室の職場席配置は、縦横複数列の座席配置であることが多く、パソコン画面の向かい側の人がこちら側のパソコン画面を見に回り込む又は起立して前屈みに覗き込む手間が省ける。
【発明が解決しようとする課題】
【０００９】  パソコンの画面が点いているかどうかが、本人が在室しているかどうかの判断の為の対象となることがある。その際、電源が付いているかどうかは画面が待機状態になってることがあり、即断できない又は判断が付かないことがある。このような時、本人の所在を知らせる表示が、パソコンの電源が切れているかそれとも一時的に待機状態なのかに関わらず、表示があれば本人も周りの本人以外の者も便利である。
【００１０】このため、パソコン画面に色付き付箋やメモ用紙をセロテープ等で貼り「帰宅します」とか「昼食中です」とか「会議中です」という表示もなされる。しかし、付箋は仮止めなため、剥がれたり表示が小さすぎることもあり、付箋以外のメモ用紙をセロテープ等で貼ることも、パソコン画面のモニターは、画面以外の枠の部分が細く、付箋等を貼ることを想定していないため、付箋等を貼るスペースが十分出ないことが多い。このため、パソコンの電源を切り使用していないときはやむなく画面上に貼ることも可能だが、使用中の場合、画面の閲覧に支障が出ることもある。
【課題を解決するための手段】
【００１１】  パソコン画面やパーテイション等に、裏表挟み込んで前後表示する、サンドイッチのように前後挟めば、単純に最も安定した表示が出来上がることに気が付いた。パソコン使用環境が大部屋における集団利用のみならず、個人が自宅で使用する環境まで、幅広く有効であろう。表示の内容は、不在表示・注意喚起表示等幅広く有効である。パソコンの色によって、対照色の針金が、視認性を高め有効であろう。単にパソコンの画面のフックで引っ掛けることの表示が前からしか視認できないのに比べ、２倍である。だから、職場の居室が見開きの開放型の大居室で使用することも尚出来、且つ前後２倍、または左右８方向から視認できれば尚それ以上の表示効果があると考えた。見開きの開放型の大居室の職場席配置は、縦横複数列の座席配置であることが多く、パソコン画面の向かい側の人がこちら側のパソコン画面を見に回り込む又は起立して前屈みに覗き込む手間が省ける。
えられる。
【発明の効果】
【００１２】  パソコン画面やパーテイション等に、裏表挟み込んで前後表示する、サンドイッチのように前後挟めば、単純に最も安定した表示が出来上がった。パソコン使用環境が大部屋における集団利用のみならず、個人が自宅で使用する環境まで、幅広く有効で、表示の内容は、不在表示・注意喚起表示等幅広く有効である。パソコンの色によって、対照色の針金が、視認性を高め有効である。
パパソコンの裏側からも見え、表示の効果は前後から識別可能ということで、単にパソコンの画面のフックで引っ掛けることの表示が前からしか視認できないのに比べ、２倍となった。だから、職場の居室が見開きの開放型の大居室で使用することも出来且つ前後２倍の表示効果が出た。
【図面の簡単な説明】
【００１３】
【図１】本発明の正面図である。
【図２】本発明の正面図である。
【図３】本発明の正面図である。
【図４】本発明の正面図である。
【図５】本発明の正面図である。
【図６】本発明の正面図である。
【図７】本発明の斜見図である。
【図８】本発明の斜見図である。
【発明を実施するための形態】
【００１４】本発明を実施するための形態を説明する。
【符号の簡単な説明】
【００１４】１  行き先表示フック部
２  行き先表示部
３  ゴム管
４  図柄
５  絵文字
６  ノート型パソコン本体
７  デスク型パソコン本体
８  キーボード
９  机
１０パーテイション
【図１】
2014211605.tif 000003
【図２】
2014211605.tif 000004
【図３】
2014211605.tif 000005
【図４】
2014211605.tif 000006
【図５】
2014211605.tif 000007
【図６】
2014211605.tif 000008
【図７】
2014211605.tif 000009
【図８】
2014211605.tif 000010